(57)【要約】【課題】軽快で接地感覚が優れ、かつ踵の保形性及び安定性の良好な跣たびを提供する。【解決手段】表布１Ａと裏布１Ｂ及び中底１Ｃとから構成されるアッパー１に、柔軟性を備えた接地底２を取付けてなる跣たびにおいて、少なくとも接地底の踵後端部に巻上げ部２Ａが形成されており、該巻上げ部２Ａ内側のアッパー踵部後端位置に略半円形状で適度な硬さの保形片３を取付けると共に、アッパー踵後端であって上記保形片３と略相似形でこれより大きな略半円形状部分の表布と裏布との間に、柔軟性シート片４を介在させたことを特徴とする。【選択図】  図２
2005000258.tif 000002
【特許請求の範囲】
【請求項１】
表布と裏布及び中底とから構成されるアッパーに、柔軟性を備えた接地底を取付けてなる跣たびにおいて、少なくとも接地底の踵後端部に巻上げ部が形成されており、該巻上げ部内側のアッパー踵部後端下方位置に略半円形状で適度な硬さの保形片を取付けると共に、アッパー踵後端であって上記保形片と略相似形でこれより大きな略半円形状部分の表布と裏布との間に、柔軟性シート片を介在させたことを特徴とする跣たび。
【請求項２】
保形片をアッパー表布と補強布との間に介在させて取付けたことを特徴とする請求項１記載の跣たび。
【請求項３】
保形片をアッパー表布と裏布との間に介在させて取付けたことを特徴とする請求項１記載の跣たび。
【請求項４】
柔軟性シート片を介在させた箇所の表布からキルティングを施したことを特徴とする請求項１ないし３記載の跣たび。
【発明の詳細な説明】
【０００１】
【発明の属する技術分野】
本発明は、軽快で接地感覚が優れ、かつ踵の保形性及び安定性の良好な跣たびに関するものである。
【０００２】
【従来の技術】
跣たびは、地下たびの一種として土木建築、農園芸の作業者に愛用されており、また祭りやスポーツの分野にも使用されている。
このような跣たびは、軽快性、接地感覚、足の返りの良さが要求されるため、アッパーに対し比較的薄手で柔軟性を備えた接地底を取付けたものとなっている。またこのような跣たびでは、爪先部先端や踵部後端の摩耗を防ぐため、巻上げと称される接地底と連続するゴム立上り片を設けることも行われている。
巻上げを設けた地下たびの一つとして、特許文献１に示すような地下たびが知られている
【０００３】
【特許文献１】
実公昭３３−８９６６
【０００４】
【発明が解決しようとする課題】
ところで上記のような薄手で柔軟性の接地底を取付けた跣たびは、接地底が柔軟であることに併せて、踵後端に巻上げ部が形成されていることもあり、履用時踵部に力が加わると横方向に動き易く、足に不安定感を与えてしまう恨みがあった。
【０００５】
このためには、接地底を厚くしたり硬度を高めることで、上記の欠点を防止することが可能であるが、これでは跣たびの特性である柔軟性、軽快性及び接地感覚を損ねてしまう難点があった。
【０００６】
【課題を解決するための手段】
本発明は上記の状況に鑑み、柔軟性を備え、かつ少なくとも踵部後端に巻上げを設けた跣たびであっても、踵の安定性があり、かつ軽快性があり、足の返り及び接地感覚の優れた跣足袋を提供しようとするものである。
すなわち本発明の要旨とするところは、表布と裏布及び中底とから構成されるアッパーに、柔軟性を備えた接地底を取付けてなる跣たびにおいて、少なくとも接地底の踵後端部に巻上げ部が形成されており、該巻上げ部内側のアッパー踵部後端下方位置に略半円形状で適度な硬さの保形片を取付けると共に、アッパー踵後端であって上記保形片と略相似形でこれより大きな略半円形状部分の表布と裏布との間に、柔軟性シート片を介在させたことを特徴とする跣たびにある。
また本発明は、上記の保形片をアッパー表布と補強布との間、あるいはアッパー表布と裏布との間に介在させて取付けたことも特徴とし、さらに柔軟性シート片を介在させた箇所の表布からキルティングを施したことをも特徴とするものである。
【０００７】
【発明の実施の態様】
以下、本発明の実施の態様を図面に基づいて説明する。
図１及び図２は本発明の一実施例を示しており、図１は跣たびの概観を示す斜視図、図２はその踵部を示す部分拡大断面図である。
図中Ａは跣たびの踵部、Ｂは爪先部、Ｃは土踏まず部を示しており、また図中１がアッパー、２が接地底、３が適度な硬さの保形片、４が柔軟性シート、５がキルティングをそれぞれ示している。
【０００８】
以上のように構成された跣たびについてさらに詳細に説明すると、アッパー１は綿布からなる表布１Ａ及び裏布１Ｂをたび状に縫製し、これを吊込みながら、厚手の綿布からなる中底１Ｃに縫着させてなっており、このアッパー１底部に比較的薄手で柔軟なゴム製の接地底２が取付けられている。この取付けは、貼付け式、縫付け式あるいは両者を組合せた方式が採用し得る。なお上記中底１Ｃは、底部の衝撃吸収性を高めるためにその内面に、衝撃吸収シートを貼合せてあっても良い。
【０００９】
そして図示の例では、踵部Ａ、爪先部Ｂ及び土踏まず部Ｃに、それぞれ巻上げ部２Ａ、２Ｂ及び２Ｃを形成した接地底２を用いているが、これらは接地底２と一体的に形成され、貼付けの際にアッパー１側に巻上げながら接着固定されている。また、図中６はコハゼ、７は掛け糸を示しており、８Ａは踵部Ａに、８Ｂは爪先部Ｂに、８Ｃは踏付け部側方にそれぞれ縫着した補強布を示している。
【００１０】
上記の接地底２の踵部Ａは、上述したように履用時に左右に動き易く、足に不安定感を与え易いので、本発明においては踵部Ａの巻上げ部２Ａ内側のアッパー１踵部後端下方位置、より具体的にはアッパー表布１Ａと補強布８Ａとの間に、後方から見て略半円形状の適度な硬さの保形片３を介在させ、適宜接着又は縫合して取付けている。
【００１１】
以上のような構造を採用すると、適度な硬さの、例えば樹脂を含浸し成形したフェルトからなる保形片３の存在により踵Ａの部分が安定され、みだりに左右に動くことがなくなり、足の安定性に寄与するものである。しかもこの保形片３は、接地底の巻上げ部２Ａ内側のアッパー表布１Ａと補強布８Ａとの間に介在して取付けられているため、安定よく固定させることができ、外観を損ねることがなく、しかもこの部分の強度向上にも寄与することとなる。なおこの保形片３は、踵の安定性を確保できる程度の硬さを備えていればよいが、踵の形状に沿うように予め屈曲状に成形させておくことが好ましい。
【００１２】
さらに本発明では、上記の保形片３に加えてアッパー１の踵後端であって、保形片３と略相似形でこれより大きな略半円形状部の表布１Ａと裏布１Ｂとの間に、柔軟性シート片４を介在させている。したがって、この部分における保形片３の足当たりを緩和し、しかも相応の張りと保形性を賦与させることができると共に、履用時に足踵の安定性を増すことができる。なお図示のように、柔軟性シート片４を介在させた箇所に表布１Ａからキルティング５を施しておくと、柔軟性シート４を安定的に介在させ、かつ上記の張りと保形性をより高めることができる。
なおこの柔軟性シート片４の素材としては、合成樹脂発泡シートや繊維フェルト等が使用できる。
【００１３】
以上本発明を図示の実施例に基づいて説明したが、種々の改変が可能である。例えば爪先部の巻上げ部２Ｂや土踏まず部の巻上げ部２Ｃのいずれか又は両方を目的によっては省略することができるし、キルティング５も同様に省略することができる。また適度な硬さの保形片３としては、樹脂含浸フェルトの代わりにゴム片あるいは合成樹脂片を用いることもできる。
さらに上記の保形片３の取付けは、アッパー表布１Ａと補強布８Ａとの間に介在させる外に、アッパー表布１Ａと裏布１Ｂとの間に介在させて取付けることもできる。この場合、足当りを考慮すると保形片３は表布１Ａ側に介在させるとよい。このようにすると、上記例と同様保形片３は、アッパー１内部に収まっているため、安定よく取付けることができ、しかも外観を損ねるようなことがない。
【００１４】
【発明の効果】
本発明は以上詳述した如き構成からなるものであるから、柔軟性を備えた接地底の少なくとも踵部後端に巻上げ部が形成されたものでありながら、これとアッパーとの間に独特の保形片を介在させたことにより、軽快性や接地感覚を損ねることなく踵部の安定性及び保形性を向上させることができると共に、さらにアッパー踵後端に柔軟性シート片をも介在させたことにより、上記保形片の足当たりを緩和して足への影響をなくし、しかも保形片と柔軟性シート片とがあいまって、踵部の保形背及び安定性を一層向上させることができる利点があり、外観に何等の違和感を与えることのない実用性の高い跣たびを提供し得る利点がある。
【図面の簡単な説明】
【図１】本発明の一実施例の概観を示す斜視図である。
【図２】図１の踵部を示す部分的な拡大断面図である。
【符号の説明】
Ａ              踵部
Ｂ              爪先部
Ｃ              土踏まず部
１                    アッパー
１Ａ            表布
１Ｂ            裏布
１Ｃ            中底
２                      接地底
２Ａ            巻上げ部
３                          保形片
４              柔軟性シート片
５              キルティング
【図１】
2005000258.tif 000003
【図２】
2005000258.tif 000004